(57)【要約】【課題】蓄電素子を備える処理装置において、蓄電素子の使用時間を長期化すること。【解決手段】プリンタでは、オフモードからオンモードに移行するオンモード移行処理において、切替条件が満たされ、ステートマシンによりオフモードからオンモードに移行すると判断された場合に（Ｓ２２：ＹＥＳ）、出力電圧Ｖ２が規定条件を満たすか否かを検出し、出力電圧Ｖ２が規定条件を満たさず、電源から電源部への電力供給が遮断されたことを検出した場合には（Ｓ２４：ＮＯ）、起動信号Ｚ１を送信しない（Ｓ３２不実施）。そのため、起動信号Ｚ１の送信により蓄電素子であるキャパシタから無駄に電力が消費されるのを抑制することができ、キャパシタの使用時間を長期化することができる。【選択図】図３
2015066827.tif 000002
【特許請求の範囲】
【請求項１】
外部商用電源からの電力を出力する電源部と、
蓄電素子を有し、前記外部商用電源からの電力、又は、前記電源部から出力される電力によって充電される蓄電素子回路と、
前記電源部から出力される電力によって作動し、処理動作を実行する処理動作部と、
前記電源部から出力される電力によって作動し、前記処理動作を制御する制御部と、
を備え、
前記電源部が電力を前記処理動作部と前記制御部とに出力するオンモードと、前記電源部が電力を前記処理動作部と前記制御部とに出力しないオフモードと、を有し、
更に、
前記蓄電素子回路から供給される電力によって作動し、前記オンモードか前記オフモードかを判断するオンオフモード判断部と、
前記蓄電素子回路から供給される電力によって作動し、前記オンオフモード判断部によって前記オフモードから前記オンモードに移行すると判断された場合には、前記電源部に対して前記処理動作部と前記制御部とに電力の出力を開始させる起動信号を送信するモード制御部と、
前記蓄電素子回路から供給される電力によって作動し、前記外部商用電源から前記電源部への電力供給が遮断されたか否かを検出する検出部と、
を備え、
前記モード制御部は、
前記オンオフモード判断部によって前記オフモードから前記オンモードに移行すると判断された場合に、前記検出部が前記外部商用電源から前記電源部への電力供給が遮断されたことを検出した場合には、前記電源部に対して前記起動信号を送信せず、前記検出部が前記外部商用電源から前記電源部への電力供給が遮断されていないことを検出した場合には、前記電源部に対して前記起動信号を送信する、
処理装置。
【請求項２】
請求項１記載の処理装置であって、
前記外部商用電源が交流電源であって、
前記蓄電素子回路は、
更に、
第１電極及び第２電極を有し、前記第１電極が前記交流電源の一端に接続される第１コンデンサと、
第３電極及び第４電極を有し、前記第３電極が前記交流電源の他端に接続される第２コンデンサと、
を有し、
前記蓄電素子は、前記第１コンデンサと前記第２コンデンサとに印加される交流電圧によって電力が蓄えられる、
処理装置。
【請求項３】
請求項１又は請求項２に記載の処理装置であって、
前記検出部は、入力されるクロック信号のパルス間隔に基づいて、前記外部商用電源から前記電源部への電力供給が遮断されたか否かを検出し、
前記モード制御部は、
前記オンオフモード判断部によって前記オフモードから前記オンモードに移行すると判断された場合に、前記検出部に対して前記クロック信号を出力する、
処理装置。
【請求項４】
請求項１から請求項３のいずれか一項に記載の処理装置であって、
前記検出部は、前記モード制御部を介して前記蓄電素子から電力が供給されており、
前記モード制御部は、
前記オンオフモード判断部によって前記オフモードから前記オンモードに移行すると判断された場合に、前記検出部に対して電力を供給する、
処理装置。
【請求項５】
請求項１から請求項４のいずれか一項に記載の処理装置であって、
更に、
前記オンオフモード判定部と、前記モード制御部と、前記検出部とに、それぞれ前記蓄電素子回路から供給される電力を供給する電力供給部と、
を備え、
前記オンオフモード判定部と、前記モード制御部と、前記検出部とは、１つの回路で構成されている、
処理装置。
【請求項６】
請求項３記載の処理装置であって、
前記外部商用電源が交流電源であって、
前記検出部は、
前記交流電源から印加される交流電圧が閾値以上となるタイミングを検出し、該タイミングの周波数が前記クロック信号の周波数から決定される規定周波数未満である場合に、前記外部商用電源から前記電源部への電力供給が遮断されたことを検出し、前記規定周波数以上である場合に、前記外部商用電源から前記電源部への電力供給が遮断されていないことを検出する、
処理装置。
【請求項７】
請求項１から請求項６のいずれか一項に記載の処理装置であって、
前記モード制御部は、
規定時間毎に前記検出部の検出結果を取得し、前記オンオフモード判断部によって前記オフモードから前記オンモードに移行すると判断された場合に更に前記検出結果を取得し、前記検出部が前記外部商用電源から前記電源部への電力供給が遮断されたことを検出した場合には、前記検出結果を取得しない、
処理装置。
【発明の詳細な説明】
【技術分野】
【０００１】
蓄電素子を備える処理装置において、蓄電素子の使用時間を長期化する技術に関する。
【背景技術】
【０００２】
従来から、二次電池を備える画像形成装置が知られている（例えば、特許文献１）。この装置では、装置の主電源からメイン制御部や、画像形成部等へ電力が出力されるオンモードにおいて、蓄電素子に電力を蓄えておき、装置の主電源からメイン制御部や、画像形成部等へ電力が出力されないオフモードにおいて、オフモードの装置を制御するサブ制御部及びリアルタイムクロック（以下、ＲＴＣ）に蓄電素子から電力が供給される。これによって、画像形成装置は、オフモードであっても、例えば、印字ヘッドをホームポジションに移動させたり、印字ヘッドにキャップをする等、装置保全のための必要なバックアップ動作の起動を行うことができ、また年月日や時刻を管理するＲＴＣが停止してしまうことを抑制することができる。
【先行技術文献】
【特許文献】
【０００３】
【特許文献１】特開２００２−５１４８２号公報
【発明の概要】
【発明が解決しようとする課題】
【０００４】
画像形成装置などの処理装置のオフモードでは、様々な理由でオンモードに切り替えることが必要となることがある。例えば、操作キーの押圧等によって、使用者から切替指示が入力された場合、装置をオンモードに切り替え、使用者が使用可能な状態とする必要がある。また、処理装置がインクジェットプリンタである場合、インクが乾燥して画像形成ができなくなることを防ぐために、一定時間毎に装置をオンモードに切り替え、インクの乾燥を防ぐ必要がある。
【０００５】
しかし、処理装置をオンモードに切り替える際に、装置の主電源に電力を供給する商用電源の停電や、商用電源と装置の主電源との間の断線など、装置の主電源に商用電源から電力が供給されておらず、これにより装置の主電源からメイン制御部や、画像形成部などの処理動作部等へ電力が出力されていないと、オンモードに切り替えられないにも関わらず二次電池などの蓄電素子から切り替えのための電力が無駄に消費されてしまう問題が生じていた。
【０００６】
本明細書では、蓄電素子の使用時間を長期化する技術を開示する。
【課題を解決するための手段】
【０００７】
本明細書によって開示される処理装置は、外部商用電源からの電力を出力する電源部と、蓄電素子を有し、前記外部商用電源からの電力、又は、前記電源部から出力される電力によって充電される蓄電素子回路と、前記電源部から出力される電力によって作動し、処理動作を実行する処理動作部と、前記電源部から出力される電力によって作動し、前記処理動作を制御する制御部と、を備え、前記電源部が電力を前記処理動作部と前記制御部とに出力するオンモードと、前記電源部が電力を前記処理動作部と前記制御部とに出力しないオフモードと、を有し、更に、前記蓄電素子回路から供給される電力によって作動し、前記オンモードか前記オフモードかを判断するオンオフモード判断部と、前記蓄電素子回路から供給される電力によって作動し、前記オンオフモード判断部によって前記オフモードから前記オンモードに移行すると判断された場合には、前記電源部に対して前記処理動作部と前記制御部とに電力の出力を開始させる起動信号を送信するモード制御部と、前記蓄電素子回路から供給される電力によって作動し、前記外部商用電源から前記電源部への電力供給が遮断されたか否かを検出する検出部と、を備え、前記モード制御部は、前記オンオフモード判断部によって前記オフモードから前記オンモードに移行すると判断された場合に、前記検出部が前記外部商用電源から前記電源部への電力供給が遮断されたことを検出した場合には、前記電源部に対して前記起動信号を送信せず、前記検出部が前記外部商用電源から前記電源部への電力供給が遮断されていないことを検出した場合には、前記電源部に対して前記起動信号を送信する。
【０００８】
この処理装置では、電源部をオンモードに切り替える際に、検出部を用いて、外部商用電源から電源部への電力供給が遮断されているか否かを検出し、電力供給が遮断されている場合には、電源部に対して起動信号を送信しない。そのため、起動信号の送信に必要な電力など、オンモードへの切り替えのための電力が蓄電素子から無駄に消費されるのを抑制することができ、蓄電素子の使用時間を長期化することができる。
【０００９】
また、上記の処理装置では、前記外部商用電源が交流電源であって、前記蓄電素子回路は、更に、第１電極及び第２電極を有し、前記第１電極が前記交流電源の一端に接続される第１コンデンサと、第３電極及び第４電極を有し、前記第３電極が前記交流電源の他端に接続される第２コンデンサと、を有し、前記蓄電素子は、前記第１コンデンサと前記第２コンデンサとに印加される交流電圧によって電力が蓄えられる構成としても良い。
【００１０】
この処理装置では、第１コンデンサ及び第２コンデンサを介して蓄電素子に交流電圧が伝達され、蓄電素子に電力が蓄えられるが、蓄電素子に伝達される交流電圧の振幅は、第１コンデンサと第２コンデンサの有するインピーダンスにより、外部商用電源から供給される交流電圧の振幅に比べて小さく抑制され、その結果、蓄電素子に供給される電力も抑制され、処理装置全体として、電力の消費を抑制することができる。
【００１１】
また、上記の処理装置では、前記検出部は、入力されるクロック信号のパルス間隔に基づいて、前記外部商用電源から前記電源部への電力供給が遮断されたか否かを検出し、前記モード制御部は、前記オンオフモード判断部によって前記オフモードから前記オンモードに移行すると判断された場合に、前記検出部に対して前記クロック信号を出力する構成としても良い。
【００１２】
この処理装置では、電源部をオンモードに切り替える際に、オンオフモード判断部によってオフモードからオンモードに移行すると判断された場合に限って、モード制御部から検出部にクロック信号が出力されるようにする。そのため、クロック信号の出力に必要な電力の消費が抑制され、特に、オフモードにおいて、外部商用電源からの電力供給が遮断されている場合には、蓄電素子の使用時間を長期化することができる。
【００１３】
また、上記の処理装置では、前記検出部は、前記モード制御部を介して前記蓄電素子から電力が供給されており、前記モード制御部は、前記オンオフモード判断部によって前記オフモードから前記オンモードに移行すると判断された場合に、前記検出部に対して電力を供給する構成としても良い。
【００１４】
この処理装置では、電源部をオンモードに切り替える際に、オンオフモード判断部によってオフモードからオンモードに移行すると判断された場合に限って、モード制御部から検出部に電力が供給されるようにする。そのため、検出部の作動に必要な電力の消費が抑制され、特に、オフモードにおいて、外部商用電源からの電力供給が遮断されている場合には、蓄電素子の使用時間を長期化することができる。
【００１５】
また、上記の処理装置では、更に、前記オンオフモード判定部と、前記モード制御部と、前記検出部とに、それぞれ前記蓄電素子回路から供給される電力を供給する電力供給部と、を備え、前記オンオフモード判定部と、前記モード制御部と、前記検出部とは、１つの回路で構成されている構成としても良い。
【００１６】
この処理装置によれば、オンオフモード判定部と、モード制御部と、検出部とが、１つの回路で構成されており、これらの部に電力を供給する電力供給部を共通化することができることから、各部に個別の電力供給部が備えられる場合に比べて、電力供給部の作動に必要な電力の消費が抑制され、処理装置全体として、電力の消費を抑制することができる。
【００１７】
また、上記の処理装置では、前記外部商用電源が交流電源であって、前記検出部は、前記交流電源から印加される交流電圧が閾値以上となるタイミングを検出し、該タイミングの周波数が前記クロック信号の周波数から決定される規定周波数未満である場合に、前記外部商用電源から前記電源部への電力供給が遮断されたことを検出し、前記規定周波数以上である場合に、前記外部商用電源から前記電源部への電力供給が遮断されていないことを検出する構成としても良い。
【００１８】
この処理装置によれば、クロック信号の周波数から決定されるの規定周波数を用いて、外部商用電源から電源部への電力供給が遮断されたか否かを、比較的容易に検出することができる。
【００１９】
また、上記の処理装置では、規定時間毎に前記検出部の検出結果を取得し、前記オンオフモード判断部によって前記オフモードから前記オンモードに移行すると判断された場合に更に前記検出結果を取得し、前記検出部が前記外部商用電源から前記電源部への電力供給が遮断されたことを検出した場合には、前記検出結果を取得しない構成としても良い。
【００２０】
この画像処理装置では、電源部をオンモードに切り替える際に、規定時間毎に検出部の検出結果を取得し、外部商用電源からの電力供給が遮断されている場合には、オンオフモード判断部による判断結果によらず、検出結果を取得しないようにする。そのため、検出結果に基づいて起動信号を送信するか否かを判断することもなく、該判断に必要な電力など、オンモードへの切り替えのための電力が蓄電素子から無駄に消費されるのを抑制することができ、蓄電素子の使用時間を長期化することができる。
【発明の効果】
【００２１】
本明細書によって開示される処理装置によれば、蓄電素子の使用時間を長期化することができる。
【図面の簡単な説明】
【００２２】
【図１】プリンタの電気的構成を概略的に示すブロック図
【図２】オフモード移行処理を示すフローチャート
【図３】オフモード移行処理を示すフローチャート
【図４】出力電圧Ｖ１と検出信号Ｘ１との関係を示すタイミングチャート
【図５】実施形態１における出力電圧Ｖ２と検出信号Ｘ２との関係を示すタイミングチャート
【図６】実施形態２における出力電圧Ｖ２と検出信号Ｘ２との関係を示すタイミングチャート
【図７】その他の実施形態における出力電圧Ｖ２と検出信号Ｘ２との関係を示すタイミングチャート
【発明を実施するための形態】
【００２３】
＜実施形態１＞
実施形態１を、図１ないし図５を用いて説明する。
【００２４】
１．プリンタの電気的構成
図１は、プリンタ１０の概略的な電気的構成を示すブロック図である。プリンタ１０は、外部商用電源であるＡＣ１００Ｖ電源（以下、電源）から供給される電力に基づいて、シートに画像を形成する装置である。なお、プリンタ１０は、レーザプリンタあるいはインクジェットプリンタであってもよい。また、ファクシミリ装置や、プリンタ機能及び読み取り機能（スキャナ機能）等を備えた複合機であってもよい。
【００２５】
プリンタ１０は、電源部１２と、蓄電素子回路３０と、ＡＳＩＣ（特定用途向け集積回路）４０と、印字部６０と、操作部７０と、を含む。電源部１２は、低圧電源部１４と、電圧変換回路１６と、を含む。低圧電源部１４は、整流平滑回路２０と、変圧器２２と、制御ＩＣ２４と、を備え、使用者によって電源に接続されると、電源からＡＣ１００Ｖで供給される電力を整流平滑回路２０及び変圧器２２を用いてＤＣ６Ｖに変換する。
【００２６】
制御ＩＣ２４は、変圧器２２及び後述する状態検出回路５４に接続され、変圧器２２を制御する。具体的には、制御ＩＣ２４は、状態検出回路５４から起動信号Ｚ１を受信すると、変圧器２２にＤＣ６Ｖの電力を電圧変換回路１６に出力させる。一方、制御ＩＣ２４は、状態検出回路５４から起動停止信号Ｚ２を受信すると、変圧器２２にＤＣ６Ｖの電力が電圧変換回路１６に出力されるのを停止させる。
【００２７】
電圧変換回路１６は、ＤＣ−ＤＣコンバータである第１コンバータ２６と、第２コンバータ２８と、を備える。電圧変換回路１６は、低圧電源部１４から供給されるＤＣ６Ｖの電力を、そのまま印字部６０に供給する。また、電圧変換回路１６は、低圧電源部１４から供給されるＤＣ６Ｖの電力を、第１コンバータ２６を用いて変換し、蓄電素子回路３０に供給する。更に、電圧変換回路１６は、低圧電源部１４から供給されるＤＣ６Ｖの電力を、第１コンバータ２６を用いてＤＣ３．３Ｖの電力に変換し、後述するＣＰＵ４２に供給する。
【００２８】
蓄電素子回路３０は、キャパシタＣ３を備え、使用者によって電源部１２が電源に接続されると、それに伴って電源から供給される電力をキャパシタＣ３に充電するとともに、キャパシタＣ３に充電された電力をＡＳＩＣ４０に供給する。キャパシタＣ３は、蓄電素子の一例である。
【００２９】
詳細には、蓄電素子回路３０は、整流平滑回路３２と、キャパシタＣ１〜Ｃ３と、ダイオードＤと、を備える。キャパシタＣ１は、一方の電極Ｍ１が電源の一端に接続された電源ラインＬ１に接続されており、他方の電極Ｍ２が整流平滑回路３２の一方の入力端子Ｐ１に接続されている。また、キャパシタＣ２は、一方の電極Ｍ３が電源の他端に接続された他方の電源ラインＬ２に接続されており、他方の電極Ｍ４が整流平滑回路３２の他方の入力端子Ｐ２に接続されている。第１コンデンサの一例であり、電極Ｍ１は第１電極の一例であり、電極Ｍ２は第２電極の一例である。また、キャパシタＣ２は、第２コンデンサの一例であり、電極Ｍ３は第３電極の一例であり、電極Ｍ４は第４電極の一例である。
【００３０】
そのため、電源から印加される交流電圧は、キャパシタＣ１、Ｃ２のインピーダンスによりその振幅が小さく抑制され、その結果、電源から供給される電力よりも抑制された電力が整流平滑回路３２に供給される。
【００３１】
整流平滑回路３２は、キャパシタＣ１、Ｃ２を介して供給される電力をＡＣ−ＤＣ変換してキャパシタＣ３及びＡＳＩＣ４０に供給する。キャパシタＣ３は、整流平滑回路３２の出力端子Ｐ３に接続されており、整流平滑回路３２から供給される電力を蓄える。また、キャパシタＣ３は、ダイオードＤを介して第１コンバータ２６に接続され、制御ＩＣ２４の制御により変圧器２２が電力を供給する期間に、電圧変換回路１６から供給される電力を蓄える。
【００３２】
ＡＳＩＣ４０は、ＣＰＵ４２と、サブ制御回路４４と、レギュレータ４６と、を備える。ＣＰＵ４２は、電圧変換回路１６から供給される電力によって作動し、印字部６０の印字動作を制御する。印字部６０は、電圧変換回路１６から供給される電力によって駆動し、ＣＰＵ４２から入力される印字指示及び印字データに基づいて印字対象物に印字する印字動作を実行する。ＣＰＵ４２は、制御部の一例であり、印字部６０は、処理動作部の一例である。
【００３３】
また、ＣＰＵ４２は、操作部７０から送信される移行指示信号Ｙに基づいて、サブ制御回路４４を制御し、プリンタ１０をオンモードからオフモードに切り替える。ここで、「オンモード」とは、電源部１２からＣＰＵ４２や印字部６０等に電力が供給されている状態を意味し、ＣＰＵ４２は、オンモードにおいてプリンタ１０を制御し、印字部６０は、オンモードにおいて印字動作を実行する。また、「オフモード」とは、電源部１２からＣＰＵ４２や印字部６０等への電力供給が停止されている状態を意味し、、ＣＰＵ４２及び印字部６０は、オフモードにおいて動作を停止する。
【００３４】
操作部７０は、プリンタ１０のオンモード及びオフモードを切り替えるための電源スイッチ７２を備えており、電源スイッチ７２は、プリンタ１０をオンモードとするための第１状態と、プリンタ１０をオフモードとするための第２状態とが、使用者によって切り替えられる。操作部７０は、ＣＰＵ４２とサブ制御回路４４に接続されており、使用者によって第１状態から第２状態に切り替えられた場合、オフモードへの移行指示信号ＹをＣＰＵ４２及びサブ制御回路４４に送信する。また、使用者によって第２状態から第１状態に切り替えられた場合、オンモードへの移行指示信号ＹをＣＰＵ４２及びサブ制御回路４４に送信する。
【００３５】
ＣＰＵ４２は、プリンタ１０のオンモードにおいて、オフモードへの移行指示信号Ｙを受信すると、サブ制御回路４４に移行命令信号Ｗを送信し、プリンタ１０をオンモードからオフモードに切り替えさせる。一方、ＣＰＵ４２は、プリンタ１０のオフモードにおいて、動作を停止していることから、オンモードへの移行指示信号Ｙを受信しない。
【００３６】
レギュレータ４６は、蓄電素子回路３０から供給される電力を、ＤＣ３．３Ｖの電力に変換し、サブ制御回路４４に供給する。具体的には、プリンタ１０のオンモードにおいて、ダイオードＤを介して電圧変換回路１６から供給される電力を、サブ制御回路４４に供給する。また、プリンタ１０のオフモードにおいて、キャパシタＣ１、Ｃ２及び整流平滑回路３２を介して電源から供給される電力を、サブ制御回路４４に供給する。また、レギュレータ４６は、プリンタ１０のオフモードにおいて、停電や、電源とプリンタ１０の間の断線など、電源から蓄電素子回路３０への電力供給が遮断された場合に、キャパシタＣ３から供給される電力を、サブ制御回路４４に供給する。レギュレータ４６は、電圧供給部の一例である。
【００３７】
サブ制御回路４４は、ＬＳＩ等、１つの集積回路によって構成され、蓄電素子回路３０から供給される電力によって作動する。サブ制御回路４４は、１つの集積回路の中に第１電圧検出回路５０、第２電圧検出回路５２、状態検出回路５４、ＲＴＣ５８、として機能する構成部分を備える。第２電圧検出回路５２は、検出部の一例である。また、状態検出回路５４は、モード制御部の一例であり、オンオフモード判定部を含む。
【００３８】
図４に示すように、第１電圧検出回路５０は、低圧電源部１４の出力電圧Ｖ１が規定電圧ＶＫ１以下に低下したか否かを検出する。具体的には、出力電圧Ｖ１が規定電圧ＶＫ１よりも大きい場合にはハイ、出力電圧Ｖ１が規定電圧ＶＫ１以下となった場合にローとなる検出信号Ｘ１を生成し、その検出信号Ｘ１を状態検出回路５４に送信する。
【００３９】
第２電圧検出回路５２は、電源から蓄電素子回路３０への電力供給が遮断されたか否かを検出する。電源から蓄電素子回路３０への電力供給配線は、電源から電源部１２への電力供給配線に接続されている。そのため、第２電圧検出回路５２は、電源から電源部１２への電力供給が遮断されたか否かを検出している、ともいうことができる。
【００４０】
第２電圧検出回路５２は、蓄電素子回路３０の出力電圧Ｖ２が規定条件を満たすか否かを検出する。図１に示すように、第２電圧検出回路５２は、状態検出回路５４から電力及びクロック信号ＣＫが供給され、これらを用いて出力電圧Ｖ２が規定電圧ＶＫ２を超えて上昇するタイミングを検出し、その周波数Ｆを算出する。
【００４１】
図５に示すように、電源から印加される交流電圧は、キャパシタＣ１、Ｃ２及び整流平滑回路３２を介しても、完全な直流電圧には変換されず、出力電圧Ｖ２に電源から印加される交流電圧によるＡＣ成分が残る。そのため、規定電圧ＶＫ２を用いて出力電圧Ｖ２の周波数Ｆを検出することができる。従って、規定電圧ＶＫ２を用いて出力電圧Ｖ２の周波数Ｆを検出することは、規定電圧ＶＫ２を用いて電源からキャパシタＣ１、Ｃ２に印加される交流電圧の周波数を検出することに等しい。規定電圧ＶＫ２は、閾値の一例である。
【００４２】
第２電圧検出回路５２は、算出した周波数Ｆをクロック信号ＣＫの基準周波数Ｆ０と比較し、周波数Ｆが基準周波数Ｆ０の半分以上である場合、規定条件を満たすと判断する。一方、周波数Ｆが基準周波数Ｆ０の半分未満である場合、規定条件を満たさないと判断する。第２電圧検出回路５２は、出力電圧Ｖ２が規定条件を満たす場合にはハイ、出力電圧Ｖ２が規定条件を満たさない場合にローとなる検出信号Ｘ２を生成し、その検出信号Ｘ２を状態検出回路５４に送信する。基準周波数Ｆ０の半分は、規定周波数の一例であり、クロック信号のパルス間隔の一例である。検出信号Ｘ２は、検出結果の一例である。
【００４３】
状態検出回路５４は、ステートマシン５６を備えており、ＣＰＵ４２から送信される移行命令信号Ｗ、操作部７０から送信される移行指示信号Ｙ、電圧検出回路５０、５２から送信される検出信号Ｘ１、Ｘ２、及び、後述する計測完了信号Ｑ等を記憶する。状態検出回路５４は、ステートマシン５６に記憶された検出信号Ｘ１、Ｘ２から、プリンタ１０における電力の供給状態を検出する。具体的には、状態検出回路５４は、検出信号Ｘ１がハイの場合に、電源部１２からＣＰＵ４２等に電力が供給されていることを検出し、検出信号Ｘ１がローの場合に、電源部１２からＣＰＵ４２等への電力供給が停止されていることを検出する。
【００４４】
また、状態検出回路５４は、検出信号Ｘ２がハイの場合に、電源から電源部１２への電力供給が遮断されていない、つまり、電源から電源部１２へ電力が供給されていることを検出し、検出信号Ｘ２がローの場合に、電源から電源部１２への電力供給が遮断されていることを検出する。
【００４５】
ステートマシン５６は、記憶された移行命令信号Ｗ、移行指示信号Ｙ、及び、計測完了信号Ｑに基づいて、プリンタ１０がオンモードかオフモードかを判断し、これらの信号が入力された場合に、プリンタ１０がオンモードからオフモード、或は、オフモードからオンモードに移行するか否かを判断する。ステートマシン５６は、オンオフモード判断部の一例である。
【００４６】
また、状態検出回路５４は、クロック信号ＣＫを発生させており、発生させたクロック信号ＣＫを第２電圧検出回路５２及びＲＴＣ５８に送信する。ＲＴＣ５８は、状態検出回路５４から送信されるクロック信号ＣＫを用いて計時するとともに、第１規定時間及び第２規定時間を計測し、これら規定時間の計測を完了すると、状態検出回路５４に計測完了信号Ｑを送信する。
【００４７】
更に、状態検出回路５４は、低圧電源部１４に起動信号Ｚ１及び起動停止信号Ｚ２を送信する。プリンタ１０のオフモードにおいて、低圧電源部１４に起動信号Ｚ１が送信されると、電源部１２からＣＰＵ４２等への電力供給が開始され、プリンタ１０がオンモードに移行する。そのため、起動信号Ｚ１は、電源部１２からＣＰＵ４２等への電力供給を開始させる信号ということができる。また、プリンタ１０のオンモードにおいて、低圧電源部１４に起動停止信号Ｚ２が送信されると、電源部１２からＣＰＵ４２等への電力供給が停止され、プリンタ１０がオフモードに移行する。そのため、起動停止信号Ｚ２は、電源部１２からＣＰＵ４２等への電力供給を停止させる信号ということができる。
【００４８】
具体的には、状態検出回路５４は、プリンタ１０のオンモードにおいて、ＣＰＵ４２から移行命令信号Ｗが受信され、ステートマシン５６によりオンモードからオフモードに移行すると判断された場合、起動停止信号Ｚ２を送信するためのオフモード移行処理を実行する。これにより、プリンタ１０がオフモードに切り替わり、状態検出回路５４は、プリンタ１０のオフモードにおいて、プリンタ１０を制御する。
【００４９】
一方、状態検出回路５４は、プリンタ１０のオフモードにおいてオンモード移行処理を実行する。状態検出回路５４は、オンモード移行処理において、以下の（１）、（２）の少なくとも一方の切替条件が満たされ、ステートマシン５６によりオフモードからオンモードに移行すると判断された場合、起動信号Ｚ１を送信するか否かを判断する。
（１）電源部１２がオフモードに切り替わってから、印字部６０等の動作確認のために、電源部１２をオンモードに切り替える第１規定時間が経過したこをを示す計測完了信号Ｑが入力された場合。
（２）プリンタ１０のオフモードにおいて、操作部７０からオフモードへの移行指示信号Ｙが入力された場合。
【００５０】
２．モード切替制御
図２ないし図５を参照して、サブ制御回路４４によるプリンタ１０のモード移行処理を説明する。図２は、プリンタ１０のオンモードからオフモードへの移行時において、状態検出回路５４が実行するオフモード移行処理を示し、図３は、プリンタ１０のオフモードからオンモードへの移行時において、状態検出回路５４が実行するオンモード移行処理を示す。
【００５１】
（オフモード移行処理）
まず、オフモード移行処理について説明する。状態検出回路５４は、プリンタ１０のオンモードにおいて、操作部７０からオフモードへの移行指示信号Ｙが入力され、ステートマシン５６によりオンモードからオフモードに移行すると判断された場合に、オフモード移行処理を開始する。図２に示すように、オフモード移行処理において、状態検出回路５４は、ＣＰＵ４２から移行命令信号Ｗが送信されるのを待機し（Ｓ２：ＮＯ）、移行命令信号Ｗを受信すると（Ｓ２：ＹＥＳ）、低圧電源部１４に起動停止信号Ｚ２を送信する（Ｓ４）。
【００５２】
次に、状態検出回路５４は、第１電圧検出回路５０から送信される検出信号Ｘ１を検出し、低圧電源部１４の出力電圧Ｖ１が規定電圧ＶＫ１以下に低下するのを待機する（Ｓ６：ＮＯ）。状態検出回路５４は、起動停止信号Ｚ２の送信に伴って、低圧電源部１４の出力電圧Ｖ１が規定電圧ＶＫ１以下に低下し、電源部１２からＣＰＵ４２等への電力供給が停止されたのを検出すると（Ｓ６：ＹＥＳ）、オフモードへの移行が完了したと判断し、オフモード移行処理を終了する。
【００５３】
（オンモード移行処理）
次に、オンモード移行処理について説明する。状態検出回路５４は、プリンタ１０がオフモードに移行すると、オンモード移行処理を開始する。図３に示すように、オンモード移行処理において、状態検出回路５４は、第２規定時間毎に出力電圧Ｖ２の検出を繰り返す。具体的には、状態検出回路５４は、第２規定時間が経過すると（Ｓ１２：ＹＥＳ）、第２電圧検出回路５２から送信される検出信号Ｘ２を検出し、電源から電源部１２への電力供給が遮断されているか否かを検出する（Ｓ１４）。第２規定時間は、規定時間の一例である。
【００５４】
状態検出回路５４は、蓄電素子回路３０の出力電圧Ｖ２が規定条件を満たしていることを検出した場合（Ｓ１４：ＹＥＳ）、つまり、電源から電源部１２へ電力が供給されていることを検出した場合、Ｓ１２からの処理を繰り返す。一方、状態検出回路５４は、蓄電素子回路３０の出力電圧Ｖ２が規定条件を満たしていないことを検出した場合（Ｓ１４：ＮＯ）、つまり、電源から電源部１２への電力供給が遮断されていることを検出した場合、オンモード移行処理を終了する。
【００５５】
上述したように、電源から電源部１２に電力が供給されていない場合、サブ制御回路４４にはキャパシタＣ３に蓄えられた電力が供給される。そのため、電源からプリンタ１０に電力が供給されていない場合に、オンモード移行処理が継続され、第２規定時間毎に電源から電源部１２への電力供給が遮断されたか否かが検出され続けると、キャパシタＣ３に蓄えられた電力が消費され、キャパシタＣ３から供給される電力によりサブ制御回路４４が作動可能な時間が短縮されてしまう。そして、キャパシタＣ３に蓄えられた電力が使い果たされ、ＲＴＣ５８による計時ができなくなると、プリンタ１０に設定された内部時刻が正しく更新されず、使用者は内部時刻を再度設定することが必要となる。本実施形態では、電源から電源部１２への電力供給が遮断されている場合、オンモード移行処理を終了し、電源から電源部１２への電力供給が遮断されたか否かが検出され続けるのを防止する。従って、キャパシタＣ３からの電力によりサブ制御回路４４が作動可能な時間を長期化することができる。
【００５６】
一方、状態検出回路５４は、第２規定時間が経過していない場合（Ｓ１２：ＮＯ）、ステートマシン５６を用いて切替条件が満たされたか否かを確認する（Ｓ２２）。状態検出回路５４は、切替条件が満たされていない場合（Ｓ２２：ＮＯ）、Ｓ１２からの処理を繰り返す。一方、切替条件が満たされ、ステートマシン５６によりオフモードからオンモードに移行すると判断された場合（Ｓ２２：ＹＥＳ）、状態検出回路５４は、第２電圧検出回路５２から出力される検出信号Ｘ２を検出し、電源から電源部１２への電力供給が遮断されているか否かを検出する（Ｓ２４）。
【００５７】
状態検出回路５４は、蓄電素子回路３０の出力電圧Ｖ２が規定条件を満たしていないことを検出した場合（Ｓ２４：ＮＯ）、つまり、電源から電源部１２への電力供給が遮断されていることを検出した場合、低圧電源部１４に起動信号Ｚ１を送信せず、オンモード移行処理を終了する。これにより、起動信号Ｚ１の送信等によるキャパシタＣ３からの電力消費が抑制され、キャパシタＣ３からの電力によりサブ制御回路４４が作動可能な時間を長期化することができる。
【００５８】
一方、状態検出回路５４は、蓄電素子回路３０の出力電圧Ｖ２が規定条件を満たしていることを検出した場合（Ｓ２４：ＹＥＳ）、つまり、電源から電源部１２へ電力が供給されていることを検出した場合、低圧電源部１４に起動信号Ｚ１を送信する（Ｓ３２）。次に、状態検出回路５４は、第１電圧検出回路５０から送信される検出信号Ｘ１を検出し、低圧電源部１４の出力電圧Ｖ１が規定電圧ＶＫ１よりも上昇するのを待機する（Ｓ３４：ＮＯ）。状態検出回路５４は、起動信号Ｚ１の出力に伴って、低圧電源部１４の出力電圧Ｖ１が規定電圧ＶＫ１よりも上昇し、電源部１２からＣＰＵ４２等に電力が供給されていることを検出すると（Ｓ３６：ＹＥＳ）、オンモードへの移行が完了したと判断し、オンモード移行処理を終了する。
【００５９】
３．本実施形態の効果
（１）本実施形態のプリンタ１０では、オンモード移行処理において切替条件が満たされ、ステートマシン５６によりオフモードからオンモードに移行すると判断された場合に、第２電圧検出回路５２を用いて出力電圧Ｖ２が規定条件を満たすか否かを検出する。そして、出力電圧Ｖ２が規定条件を満たさず、電源から電源部１２への電力供給が遮断されたことを検出した場合には、起動信号Ｚ１を送信しない。そのため、電源から電源部１２への電力供給が遮断され、それに伴って電源からキャパシタＣ３への電力供給が停止されるとともにキャパシタＣ３に蓄えられた電力によりサブ制御回路４４が作動している状態において、起動信号Ｚ１の送信によりキャパシタＣ３から無駄に電力が消費されるのを抑制することができ、キャパシタＣ３に蓄えられた電力によりサブ制御回路４４が作動可能な時間を長期化することができる。
【００６０】
（２）本実施形態のプリンタ１０では、キャパシタＣ３には、キャパシタＣ１及びキャパシタＣ２に印加される交流電圧によって電力が蓄えられることから、キャパシタＣ１及びキャパシタＣ２の有するインピーダンスにより、キャパシタＣ１及びキャパシタＣ２を通過する際に、交流電圧の振幅が減衰する。その結果、キャパシタＣ３に供給される電力が抑制され、キャパシタＣ３に常時電力が供給される場合でも、プリンタ１０全体の電力消費を抑制することができる。
【００６１】
（３）本実施形態のプリンタ１０では、サブ制御回路４４が１つの集積回路によって、この１つの集積回路に対して１つのレギュレータ４６により電力が供給されている。そのため、サブ制御回路４４が複数の回路、例えば、状態検出回路５４や、ＲＴＣ５８が別々の回路で構成されており、これら複数の回路に対して複数のレギュレータにより個別に電力が供給されている場合に比べて、レギュレータの作動により消費される電力を抑制することができる。特に、電源から電源部１２への電力供給が遮断され、それに伴ってキャパシタＣ３に蓄えられた電力によりサブ制御回路４４が作動している場合には、キャパシタＣ３から無駄に電力が消費されるのを抑制することができ、キャパシタＣ３に蓄えられた電力によりサブ制御回路４４が作動可能な時間を長期化することができる。
【００６２】
（４）本実施形態のプリンタ１０では、電源から電源部１２への電力供給が遮断されているか否かを検出する際に、クロック信号ＣＫの基準周波数Ｆ０の半分の値を基準として用いる。そのため、電源から電源部１２への電力供給が遮断されているか否かを、比較的容易に検出することができる。
【００６３】
（５）本実施形態のプリンタ１０では、オンモード移行処理において、第２規定時間毎に出力電圧Ｖ２の検出を繰り返し、電源から電源部１２への電力供給が遮断されていることを検出した場合には、オンモード移行処理を終了し、それ以後、出力電圧Ｖ２の検出を実行しない。そのため、電源から電源部１２への電力供給が遮断され、それに伴ってキャパシタＣ３に蓄えられた電力によりサブ制御回路４４が作動している状態において、出力電圧Ｖ２の検出によりキャパシタＣ３から無駄に電力が消費されるのを抑制することができ、キャパシタＣ３に蓄えられた電力によりサブ制御回路４４が作動可能な時間を長期化することができる。
【００６４】
＜実施形態２＞
実施形態２を、図６を用いて説明する。本実施形態では、状態検出回路５４から第２電圧検出回路５２への電力及びクロック信号ＣＫの供給期間が実施形態１と異なる。以下の説明では、実施形態１と同一の内容については重複した記載を省略する。
【００６５】
１．モード切替制御
図５に示すように、実施形態１では、プリンタ１０のオフモードにおいて、状態検出回路５４から第２電圧検出回路５２に電力及びクロック信号ＣＫが常時供給されていた。そのため、第２電圧検出回路５２は、出力電圧Ｖ２が規定条件を満たすか否かを常時判断し、その判断結果である検出信号Ｘ２を状態検出回路５４に常時送信していた。
【００６６】
本実施形態では、図６に示すように、状態検出回路５４は、第２電圧検出回路５２に対して、第２規定時間が経過した、或いは、切替条件が満たされた場合に、電力及びクロック信号ＣＫを一定期間ＬＴに限って供給する。第２電圧検出回路５２は、一定期間ＬＴに出力電圧Ｖ２が規定条件を満たすか否かを判断し、一定期間ＬＴに限って検出信号Ｘ２を状態検出回路５４に送信する。
【００６７】
２．本実施形態の効果
本実施形態のプリンタ１０では、状態検出回路５４が第２電圧検出回路５２に対して電力及びクロック信号ＣＫを供給する期間が一定期間ＬＴに限られる。そのため、第２電圧検出回路５２の作動により消費される電力が抑制される。特に、オフモードにおいて、外部商用電源からの電力供給が遮断されている場合には、蓄電素子の使用時間を長期化することができる。特に、電源から電源部１２への電力供給が遮断され、それに伴ってキャパシタＣ３に蓄えられた電力によりサブ制御回路４４が作動している場合には、キャパシタＣ３から無駄に電力が消費されるのを抑制することができ、キャパシタＣ３に蓄えられた電力によりサブ制御回路４４が作動可能な時間を長期化することができる。
【００６８】
＜他の実施形態＞
本発明は上記記述及び図面によって説明した実施形態に限定されるものではなく、例えば次のような種々の態様も本発明の技術的範囲に含まれる。
（１）上記実施形態では、装置として、印字部６０を有し、プリンタ機能を有するプリンタ１０を用いて説明を行ったが、本発明はこれに限られない。例えば、スキャナ機能、コピー機能、ファクシミリ機能等の１つの機能を有する装置でもよければ、これらの機能の複数をあわせ持つ複合機であっても良い。
【００６９】
（２）上記実施形態では、プリンタ１０がＣＰＵ４２とサブ制御回路４４を有するＡＳＩＣ４０を備え、ＣＰＵ４２がオンモードのプリンタ１０を制御し、サブ制御回路４４がオフモードのプリンタ１０を制御する例を用いて説明を行ったが、本発明はこれに限られない。例えば、ＣＰＵ４２とサブ制御回路４４の少なくとも一方が、ＡＳＩＣ４０とは別体として存在し、このＣＰＵ４２やサブ制御回路４４により、プリンタ１０が制御されてもよい。さらには、単数又は複数のＣＰＵ４２、サブ制御回路４４、及びＡＳＩＣ４０によって、プリンタ１０が制御されてもよい。
【００７０】
（３）上記実施形態では、プリンタ１０がオフモードに移行すると、オンモード移行処理を開始し、第２規定時間毎に出力電圧Ｖ２の検出を繰り返す例を用いて説明を行ったが、本発明はこれに限られない。例えば、第２規定時間毎に出力電圧Ｖ２の検出を繰り返す処理が行われず、プリンタ１０がオフモードにおいて、切替条件が満たされ、ステートマシン５６によりオフモードからオンモードに移行すると判断された場合に、オンモード移行処理が実行されるようにしてもよい。
【００７１】
（４）上記実施形態では、電源から電源部１２への電力供給が遮断されているか否かを検出する際に、蓄電素子回路３０の出力電圧Ｖ２を用いて検出を行ったが、本発明はこれに限られない。電源から電源部１２に印加される交流電圧を直接検出してもよい。
【００７２】
（５）上記実施形態では、状態検出回路５４から第２電圧検出回路５２への電力及びクロック信号ＣＫの供給期間について、実施形態１では、プリンタ１０のオフモードにおいて常時供給される例を用いて説明を行った。また、実施形態２では、第２規定時間が経過した、或いは、切替条件が満たされた場合に、一定期間ＬＴに限って供給される例を用いて説明を行った。しかし、本発明はこれに限られない。例えば、図７に示すように、プリンタ１０のオフモードにおいて、電力及びクロック信号ＣＫが供給されない期間が所定期間ＵＴ連続した後に、一定期間ＬＴに亘って電力及びクロック信号ＣＫが供給され、所定期間ＵＴと一定期間ＬＴとが交互に繰り返されるようにしてもよい。
【００７３】
（６）上記実施形態では、蓄電素子回路３０に電源から直接電力が供給される例を用いて説明を行ったが、本発明はこれに限られない。例えば、電源部１２から蓄電素子回路３０に電力が供給されてもよい。
【符号の説明】
【００７４】
１２：電源部、２２：変圧器、２４：制御ＩＣ、３０：蓄電素子回路、４４：サブ制御回路、４６：レギュレータ、５２：第２電圧検出回路、５４：状態検出回路、５６：ステートマシン、Ｃ１〜Ｃ３：キャパシタ、ＣＫ：クロック信号、Ｑ：計測完了信号、Ｗ：移行命令信号、Ｘ１、Ｘ２：検出信号、Ｙ：移行指示信号、Ｚ１：起動信号、Ｚ２：起動停止信号
【図１】
2015066827.tif 000003
【図２】
2015066827.tif 000004
【図３】
2015066827.tif 000005
【図４】
2015066827.tif 000006
【図５】
2015066827.tif 000007
【図６】
2015066827.tif 000008
【図７】
2015066827.tif 000009